(57)【要約】【課題】  外観品質を向上させて、鍵の紛失や携帯電話の外観品質の低下を防止出来る鍵収納部を有する携帯電話構造を提供する。【解決手段】  携帯電話本体１０の筐体１１の裏面側の一部には、バッテリ１３を収納するバッテリ収納部１２が凹状に形成されている。  このバッテリ収納部１２には、開閉可能な蓋体１４によって、バッテリ１３を交換可能に開口される開口部１２ａが形成されている。  そして、この蓋体１４のバッテリ対向面１４ａには、鍵としての鍵開閉システムのエマージェンシーキー１５を収納する鍵収納部１６が設けられている。【選択図】  図１
2005303403.tif 000002
【特許請求の範囲】
【請求項１】
携帯電話本体の筐体の一部に、バッテリを収納するバッテリ収納部を設け、該バッテリ収納部には、開閉可能な蓋体によって、バッテリを交換可能に開口される開口部を形成し、該蓋体のバッテリ対向面には、鍵を収納する鍵収納部を設けたことを特徴とする携帯電話構造。
【請求項２】
前記鍵収納部は、前記鍵を着脱可能に係止する係止爪部を有することを特徴とする請求項１記載の携帯電話構造。
【請求項３】
前記携帯電話本体に、鍵開閉システムの携帯機の機能を持たせると共に、前記鍵は、該鍵開閉システムのエマージェンシーキーであることを特徴とする請求項１又は２記載の携帯電話構造。 
【発明の詳細な説明】
【技術分野】
【０００１】
本発明は、車両用のメカニカルキーを収納出来る鍵収納部を有する携帯電話構造に関し、特に、携帯電話に、鍵開閉システムの携帯機の機能を持たせる際に用いて好適な鍵収納部を有する携帯電話構造に関するものである。
【背景技術】
【０００２】
従来のキーケースストラップとして、図２に示すようなものが知られている（例えば、特許文献１等参照）。
【０００３】
また、従来の携帯電話を用いて施開錠を行う鍵開閉システムも知られている（例えば、特許文献２等参照）。
【０００４】
まず、構成から説明すると、このような従来のキーケースストラップでは、携帯電話機１の筐体２の一部に一体形成された係止環３には、係止紐４を介してストラップ本体５が、連設されている。
【０００５】
このストラップ本体５の折り返し形状の先端５ａには、ケース本体６が、挿通孔６ａにこのストラップ本体５を挿通されて取り付けられている。
【０００６】
このケース本体６は、鍵７のキーヘッド８を、内部に保持することにより、前記ストラップ本体５を介して、前記携帯電話機１に連結されている。  
【０００７】
次に、この従来のキーケースストラップの作用について説明する。
【０００８】
このように構成された従来のキーケースストラップでは、前記携帯電話機１に前記ストラップ本体５を介して、前記鍵７が連結されたまま、施開錠を行うことが出来る。
【特許文献１】特開２００１−４６１３５号公報（図１，００２０段落乃至００５７段落）
【特許文献２】特開２００１−２３２９６４号公報（図１，０００６段落）
【発明の開示】
【発明が解決しようとする課題】
【０００９】
しかしながら、従来の携帯電話を用いて施開錠を行う鍵開閉システムでは、従来のキーケースストラップのように、前記携帯電話機１に前記ストラップ本体５を介して、前記鍵７を連結して用いると、別体でぶら下がるように連結されている鍵７が、前記筐体２に当接して、携帯電話機１の外表面を傷つける虞があった。
【００１０】
また、係止環３と、係止紐４との連結部分や、ケース本体６と鍵７と保持部分が外れると、鍵７が落ちてしまい、紛失する虞もあった。
【００１１】
更に、ストラップ本体５の長さに加えて、鍵７が、全長方向に長く延設されることとなり、外観品質が良好であるとは言い難かった。
【００１２】
そこで、本発明は、外観品質を向上させて、鍵の紛失や携帯電話の外観品質の低下を防止出来る鍵収納部を有する携帯電話構造を提供することを目的としている。
【課題を解決するための手段】
【００１３】
前記目的を達成するために、請求項１の発明は、携帯電話本体の筐体の一部に、バッテリを収納するバッテリ収納部を設け、該バッテリ収納部には、開閉可能な蓋体によって、バッテリを交換可能に開口される開口部を形成し、該蓋体のバッテリ対向面には、鍵を収納する鍵収納部を設けた携帯電話構造を特徴としている。
【００１４】
また、請求項２に記載されたものは、前記鍵収納部は、前記鍵を着脱可能に係止する係止爪部を有する請求項１記載の携帯電話構造を特徴としている。
【００１５】
更に、請求項３に記載されたものは、前記携帯電話本体に、鍵開閉システムの携帯機の機能を持たせると共に、前記鍵は、該鍵開閉システムのエマージェンシーキーである請求項１又は２記載の携帯電話構造を特徴としている。
【発明の効果】
【００１６】
このように構成された請求項１のものは、前記携帯電話本体のバッテリ収納部では、前記蓋体のバッテリ対向面に設けられた鍵収納部に、鍵が収納されている。
【００１７】
このため、蓋体を開放して前記鍵収納部から鍵を取り出すことにより、鍵を使用できる。
【００１８】
また、鍵の不使用時には、前記蓋体のバッテリ対向面に設けられた鍵収納部に、該鍵が収納されているので、外部から見えず、外観品質が良好である。
【００１９】
更に、前記鍵収納部から鍵が、外れても、前記蓋体によって、前記バッテリ収納部の開口部が閉塞されているので、脱落することが無く、紛失を防止出来る。
【００２０】
また、請求項２に記載されたものは、前記鍵収納部が、前記鍵を着脱可能に係止する係止爪部を有して構成されているので、別途、部品を追加等する必要が無く、例えば、該係止爪部を前記蓋体のバッテリ対向面に、一体に突設形成すれば、製造コストの上昇を抑制出来る。
【００２１】
そして、請求項３に記載されたものは、前記携帯電話本体が、鍵開閉システムの携帯機の機能を持つものである場合、前記鍵を、該鍵開閉システムのエマージェンシーキーとして用いることが出来る。
【００２２】
このため、携帯機の電池切れに対応して、エマージェンシーキーとして用いることにより、所望の鍵開閉動作を行わせることが出来る。
【発明を実施するための最良の形態】
【００２３】
以下、本発明の最良の実施の形態について図面を参照して説明する。
【００２４】
なお、前記従来例と同一乃至均等な部分については、同一符号を付して説明する。
【００２５】
図１は、本実施の形態による鍵収納部を有する携帯電話構造を示している。
【００２６】
まず、構成から説明すると、このような本実施の形態の携帯電話構造では、携帯電話本体１０に、鍵開閉システムの携帯機の機能が持たせられている。
【００２７】
この携帯電話本体１０の筐体１１の裏面側の一部には、バッテリ１３を収納するバッテリ収納部１２が凹状に形成されている。
【００２８】
このバッテリ収納部１２には、開閉可能な蓋体１４によって、バッテリ１３を交換可能に開口される開口部１２ａが形成されている。
【００２９】
そして、この蓋体１４のバッテリ対向面１４ａには、鍵としての前記鍵開閉システムのエマージェンシーキー１５を収納する鍵収納部１６が設けられている。
【００３０】
この鍵収納部１６は、主に、前記エマージェンシーキー１５を着脱可能に係止する複数の係止爪部１６ａ，１６ａ及び１６ｂ…を、前記蓋体１４のバッテリ対向面１４ａに、一体に突設形成することにより、主に構成されている。
【００３１】
このうち、前記エマージェンシーキー１５のキーブレード部１５ａは、一対の前記係止爪部１６ａ，１６ａによって両側から把持されるように係止されている。
【００３２】
また、前記エマージェンシーキー１５のキーヘッド部１５ｂは、前記係止爪部１６ｂと、前記蓋体１４の下側壁部１４ｂとよって、両側から把持されるように係止されている。
【００３３】
この前記係止爪部１６ｂと、前記蓋体１４の下側壁部１４ｂとは、前記エマージェンシーキー１５を反対向きにも、係止させて保持可能に形成されている。
【００３４】
更に、この実施の形態では、前記蓋体１４の下側壁部１４ｂに、切欠部１４ｃが形成されていて、図中二点鎖線で示すように、前記エマージェンシーキー１５を反対向きに保持している状態で、このエマージェンシーキー１５のキーブレード部１５ａを挿通させて、突設させるように構成されている。
【００３５】
次に、この実施の形態の鍵収納部を有する携帯電話構造の作用について説明する。
【００３６】
このように構成された鍵収納部を有する携帯電話構造では、前記携帯電話本体１０の筐体１１に形成された前記バッテリ収納部１２には、前記蓋体１４のバッテリ対向面１４ａに設けられた鍵収納部１６の複数の係止爪部１６ａ，１６ａ及び１６ｂ…によって、エマージェンシーキー１５が係止されて収納されている。
【００３７】
このため、携帯機の電池切れ等、エマージェンシーキー１５を利用する必要が生じた際には、蓋体１４を開放して、前記鍵収納部１６からエマージェンシーキー１５を取り出すことにより、エマージェンシーキー１５を使用できる。
【００３８】
また、エマージェンシーキー１５の不使用時には、前記蓋体１４のバッテリ対向面１４ａに設けられた鍵収納部１６に、エマージェンシーキー１５が収納されているので、外部から見えず、外観品質が良好である。
【００３９】
更に、前記鍵収納部１６からエマージェンシーキー１５が、外れても、前記蓋体１４によって、前記バッテリ収納部１２の開口部１２ａが閉塞されているので、脱落することが無く、紛失を防止出来る。
【００４０】
また、前記鍵収納部１６が、前記蓋体１４のバッテリ対向面１４ａに、一体に突設形成された複数の係止爪部１６ａ，１６ａ，１６ｂ及び前記蓋体１４の下側壁部１４ｂによって、前記エマージェンシーキー１５を着脱可能に係止するように構成されているので、別途、部品を追加等する必要が無く、蓋体１４の成型時に一体に突設形成すれば、製造コストの上昇を抑制出来る。
【００４１】
更に、この実施の形態では、前記蓋体１４の下側壁部１４ｂに、切欠部１４ｃが形成されていて、図中二点鎖線で示すように、前記エマージェンシーキー１５を反対向きに保持させている状態で、前記蓋体１４によって、前記開口部１２ａを閉塞すると、このエマージェンシーキー１５のキーブレード部１５ａが挿通されて、突設させることができる。
【００４２】
このため、エマージェンシーキー１５を連続して利用する場合等に、いちいち前記蓋体１４を開閉塞して、エマージェンシーキー１５を取り出す必要が無くなる。
【００４３】
また、所定の長さを有する携帯電話本体１０の筐体１１を、エマージェンシーキー１５の挿入、回転動作の際の把持に用いれば、キーヘッド部１５ｂに比して握りやすく、更に、使用利便性が良好である。
【００４４】
しかも、図中実線で示すように、通常の前記エマージェンシーキー１５が、鍵収納部１６に収納された状態では、前記キーヘッド部１５ｂが、前記切欠部１４ｃの開口を閉塞する。このため、塵埃が、この切欠部１４ｃからバッテリ収納部１２内に侵入する虞が無くなる。
【００４５】
このように、前記携帯電話本体１０が、鍵開閉システムの携帯機の機能を持つものである場合、前記エマージェンシーキー１５を、この鍵開閉システムのエマージェンシーキー１５として用いることが出来る。
【００４６】
このため、携帯機の電池切れに対応して、エマージェンシーキー１５として用いることにより、所望の鍵開閉動作を行わせることが出来、実用上有益な作用効果を発揮する。
【００４７】
以上、図面を参照して、本発明の最良の実施の形態を詳述してきたが、具体的な構成は、この実施の形態に限らず、本発明の要旨を逸脱しない程度の設計的変更は、本発明に含まれる。
【００４８】
例えば、前記実施の形態では、前記鍵収納部１６として、前記エマージェンシーキー１５のキーブレード部１５ａを、一対の前記係止爪部１６ａ，１６ａによって両側から把持すると共に、前記エマージェンシーキー１５のキーヘッド部１５ｂを、前記係止爪部１６ｂと、前記蓋体１４の下側壁部１４ｂとよって、両側から把持するように構成したものを示して説明してきたが、特にこれに限らず、例えば、キーヘッド部１５ｂを、一対の前記係止爪部１６ｂ，１６ｂによって、係止させるように構成するものに限らず、簡易な保持機能を有すれば、前記バッテリ対向面１４ａと、前記バッテリ１３との間に、鍵を教示して保持する構造等、前記エマージェンシーキー１５を着脱可能に係止する係止爪部等、蓋体１４のバッテリ対向面１４ａに、鍵を収納する鍵収納部を設けたものであれば、形状、数量及び、材質が特に限定されるものではない。
【図面の簡単な説明】
【００４９】
【図１】本発明の最良の実施の形態の鍵収納部を有する携帯電話構造を示し、全体の構成を説明する分解斜視図である。
【図２】従来例のキーケースストラップで、全体の構成を説明する斜視図である。
【符号の説明】
【００５０】
１０          携帯電話機本体
１１          筐体
１１ａ        裏面側
１２          バッテリ収納部
１２ａ        開口部
１３          バッテリ
１４          蓋体
１４ａ        バッテリ対向面
１５          エマージェンシーキー（鍵）
１６          鍵収納部
１４ｂ          下側壁部
１６ａ，１６ｂ  係止爪部
【図１】
2005303403.tif 000003
【図２】
2005303403.tif 000004